(57)【要約】【課題】長尺体貫通用孔の孔内周面との間で発生するコンクリート付着力を確実且つ効果的に高めることのできる長尺体貫通用孔防火措置具を提供する。【解決手段】床板Ｓに形成される長尺体貫通用孔Ａの孔内周面との間で発生するコンクリート付着力により孔内周面を被覆する状態で長尺体貫通用孔Ａに取り付けられる環状枠体１に、これに挿通された長尺体Ｐの外周面と環状枠体１の内周面１ａとの間の環状空間で耐火充填材４を受け止め支持可能な受止支持片部２と、床板Ｓの下面Ｓ１における長尺体貫通用孔Ａの孔口周縁部との間でコンクリート付着力を発生可能な補助付着片部３とが形成されている。【選択図】図８
2008136581.tif 000002
【特許請求の範囲】
【請求項１】
床板に形成される長尺体貫通用孔の孔内周面との間で発生するコンクリート付着力により孔内周面を被覆する状態で長尺体貫通用孔に取り付けられる環状枠体に、これに挿通された長尺体の外周面と環状枠体の内周面との間の環状空間で耐火充填材を受け止め支持可能な受止支持片部と、前記床板の下面における長尺体貫通用孔の孔口周縁部との間でコンクリート付着力を発生可能な補助付着片部とが形成されている長尺体貫通用孔防火措置具。
【請求項２】
前記補助付着片部には、前記コンクリート付着力を発生させるコンクリートをそれの打設時において受け止めるコンクリート受止板に対して仮固定するための仮固定部が備えられている請求項１記載の長尺体貫通用孔防火措置具。
【請求項３】
前記受止支持片部の先端部が曲面形状に形成されている請求項１又は２記載の長尺体貫通用孔防火措置具。
【請求項４】
前記受止支持片部の先端側を折り返す形態に折り曲げることにより受止支持片部の先端部が曲面形状に形成されている請求項３記載の長尺体貫通用孔防火措置具。
【請求項５】
前記環状枠体の下端部を内側に折り曲げることにより前記受止支持片部が形成され、その受止支持片部の先端側を折り返す形態に外側に折り曲げることにより前記補助付着片部が形成されている請求項４記載の長尺体貫通用孔防火措置具。
【請求項６】
前記環状枠体が複数の枠体形成片から構成されているとともに、それら複数の枠体形成片を連結する連結部が外方に突出する形態に構成されている請求項１〜５のいずれか１項に記載の長尺体貫通用孔防火措置具。
【発明の詳細な説明】
【技術分野】
【０００１】
本発明は、床板に形成される長尺体貫通用孔を通じて火炎や煙が伝播するのを防止するために長尺体貫通用孔に取り付けて使用される長尺体貫通用孔防火措置具に関し、詳しくは、長尺体貫通用孔の孔内周面との間で発生するコンクリート付着力により孔内周面を被覆する状態で長尺体貫通用孔に取り付けられる環状枠体に、これに挿通された長尺体の外周面と環状枠体の内周面との間の環状空間で耐火充填材を受け止め支持可能な受止支持片部が形成されている長尺体貫通用孔防火措置具に関する。
【背景技術】
【０００２】
この種の長尺体貫通用孔防火措置具は、前記環状枠体の外周面と長尺体貫通用孔の孔内周面とを前記コンクリート付着力（例えば、床板自体を成形するコンクリートや長尺体貫通用孔の周縁部を成形するために床板との間に充填される充填モルタルなどの付着力）で密着させることにより、長尺体貫通用孔への取り付けと合せて、それらの間に隙間ができるのを抑止するとともに、前記受止支持片部に前記耐火充填材を受け止め支持させることにより環状枠体の内周面と長尺体の外周面との間を閉塞し、これにより、長尺体貫通用孔を確実に閉塞して、長尺体貫通用孔を通じて火炎や煙が伝播するのを防止するものである。
【０００３】
そして、従来、この種の長尺体貫通用孔防火措置具では、前記環状枠体の外周面の上下方向中間部に周方向に延びる凸条を形成することで、その凸状をコンクリート製の床板に埋め込ませる形態で長尺体貫通用孔と環状枠体との付着面積を増大させて、長尺体貫通用孔と環状枠体との間のコンクリート付着力を高く確保し、これにより、火災時の火炎や熱による環状枠体の変形を抑止して、長尺体貫通用孔と環状枠体との間に隙間ができるのを抑止したものが知られている。（下記特許文献１参照）
【特許文献１】特開２００１−３５３２２９号公報
【発明の開示】
【発明が解決しようとする課題】
【０００４】
ところが、上記の如き従来の長尺体貫通用孔防火措置具では、床板を成形するコンクリート（すなわち、前記コンクリート付着力を発生させるコンクリート）を打設するとき、環状枠体の外周面に形成された凸条の周囲（特に下方部位）にコンクリートが回り込み難いことから、その凸条の周囲でコンクリートの充填精度が低下してクラックやジャンカなどの不良が発生してしまい、そのことで、長尺体貫通用孔との間で発生するコンクリート付着力が却って低くなって、火災時の火炎や熱による環状枠体の変形により長尺体貫通用孔と環状枠体との間に隙間が生じ易くなったり、或いは、床板の強度が低くなったりする問題あった。
【０００５】
この実情に鑑み、本発明の主たる課題は、長尺体貫通用孔との間で発生するコンクリート付着力を確実且つ効果的に高めることのできる長尺体貫通用孔防火措置具を提供する点にある。
【課題を解決するための手段】
【０００６】
本発明の第１特徴構成は長尺体貫通用孔防火措置具に係り、その特徴は、
床板に形成される長尺体貫通用孔の孔内周面との間で発生するコンクリート付着力により孔内周面を被覆する状態で長尺体貫通用孔に取り付けられる環状枠体に、これに挿通された長尺体の外周面と環状枠体の内周面との間の環状空間で耐火充填材を受け止め支持可能な受止支持片部と、前記床板の下面における長尺体貫通用孔の孔口周縁部との間でコンクリート付着力を発生可能な補助付着片部とが形成されている点にある。
【０００７】
上記特徴構成によれば、環状枠体と長尺体貫通用孔の孔内周面との間でのコンクリート付着力に加えて、前記補助付着片部と前記床板の下面との間でコンクリート付着力を発生させることができるから、先述の従来の長尺体貫通用孔防火措置具の如く、前記コンクリート付着力を発生させるコンクリートにクラックやジャンカなどの不良が発生するのを回避しながら、長尺体貫通用孔との間でのコンクリ−ト付着力を確実且つ効果的に高めることができる。
【０００８】
本発明の第２特徴構成は、第１特徴構成の実施に好適な実施形態を特定するものであり、その特徴は、
前記補助付着片部には、前記コンクリート付着力を発生させるコンクリートをそれの打設時において受け止めるコンクリート受止板に対して仮固定するための仮固定部が備えられている点にある。
【０００９】
つまり、例えば、前記仮固定部が前記受止支持片部に備えられている場合では、前記コンクリート受止板への仮固定作業を環状枠体の内側から行う必要がある。
【００１０】
それに対し、仮固定部が前記補助付着片部に備えられている上記特徴構成であれば、前記コンクリート受止板への仮固定作業を環状枠体の外側から行うことができるから、上述の如く仮固定部が前記受止支持片部に備えられている場合に比べ、仮固定作業のための作業空間を広く確保することができて、作業内容の簡略化と作業時間の短縮化を図ることができる。
【００１１】
本発明の第３特徴構成は、第１又は第２特徴構成の実施に好適な実施形態を特定するものであり、その特徴は、
前記受止支持片部の先端部が曲面形状に形成されている点にある。
【００１２】
上記特徴構成によれば、例えば、前記受止支持片部の先端部に角部が形成されている場合に比べ、受止支持片部の先端部と長尺体の外周面との接触抵抗を小さくすることができるから、長尺体を環状枠体に挿通する挿通操作を極力スムーズに行うことができる。
【００１３】
また、受止支持片部の先端部と長尺体の外周面との接触によって長尺体に破損が生じることも効果的に抑止することができる。
【００１４】
本発明の第４特徴構成は、第３特徴構成の実施に好適な実施形態を特定するものであり、その特徴は、
前記受止支持片部の先端側を折り返す形態に折り曲げることにより受止支持片部の先端部が曲面形状に形成されている点にある。
【００１５】
上記特徴構成によれば、前記受止支持片部の先端部が曲面形状に形成するのに合せて、受止支持片部の体積を増加させることができるから、その体積の増加分、受止支持片部の強度を効果的に高めることができて、受止支持片部の変形を抑止することができ、これにより、受止支持片部の変形により受止支持片部に受け止め支持させた耐火充填材が不測に脱落したりするなどの不具合を効果的に抑止することができる。
【００１６】
本発明の第５特徴構成は、第４特徴構成の実施に好適な実施形態を特定するものであり、その特徴は、
前記環状枠体の下端部を内側に折り曲げることにより前記受止支持片部が形成され、その受止支持片部の先端側を折り返す形態に外側に折り曲げることにより前記補助付着片部が形成されている点にある。
【００１７】
上記特徴構成によれば、前記受止支持片部と前記補助付着片部が前記環状枠体に一体的に構成されているから、例えば、受止支持片部と補助付着片部を環状枠体とは別部材として構成して、環状枠体に取り付ける場合に比べ、受止支持片部と補助付着片部が環状枠体から不測に離脱してしまうなどの不具合を確実に防止することができる。
【００１８】
しかも、受止支持片部を２層構造にする形態で受止支持片部の体積を一層増加させることができるから、その体積の増加分、受止支持片部の強度を一層効果的に高めることができて、受止支持片部の変形を一層抑止することができ、これにより、受止支持片部の変形により受止支持片部に受け止め支持させた耐火充填材が不測に脱落したりするなどの不具合を一層効果的に抑止することができる。
【００１９】
本発明の第６特徴構成は、第１〜第５特徴構成のいずれかの実施に好適な実施形態を特定するものであり、その特徴は、
前記環状枠体が複数の枠体形成片から構成されているとともに、それら複数の枠体形成片を連結する連結部が外方に突出する形態に構成されている点にある。
【００２０】
上記特徴構成によれば、例えば、前記環状枠体が単一の部材から構成されている場合に比べ、運搬時の占有体積を小さくすることができるから、製作現場からの運搬効率を効果的に向上させることができる。
【００２１】
しかも、複数の枠体形成片を連結する連結部が外方に突出する形態に構成されているから、その外方に突出する連結部の表面積の分だけ長尺体貫通用孔の孔内周面との付着面積を広く確保することができ、これにより、長尺体貫通用孔との間でのコンクリート付着力を一層効果的に高めることができる。
【発明を実施するための最良の形態】
【００２２】
図１〜図４は、複数の空調配管や電気ケーブル等の長尺体Ｐを床板Ｓ（本例では、コンクリート製）を貫通させる目的で床板Ｓに形成される長尺体貫通用孔Ａに取り付けられる長尺体貫通用孔防火措置具Ｔを示し、この長尺体貫通用孔防火措置具Ｔは、長尺体貫通用孔Ａの孔内周面との間で発生するコンクリート付着力により孔内周面を被覆する状態で長尺体貫通用孔Ａに取り付けられる板金製の環状枠体１に、これに挿通された長尺体Ｐの外周面と環状枠体１の内周面１ａとの間の環状空間ｓで耐火充填材４（図７、８を参照）を受け止め支持可能な複数の受止支持片部２と、床板Ｓの下面Ｓ１における長尺体貫通用孔Ａの孔口周縁部との間でコンクリート付着力を発生可能な複数の補助付着片部３とを形成して構成されている。
【００２３】
前記環状枠体１は、上下両端面に長尺体挿通用の開口部１ｃ、１ｄを有する平面視略長方形の箱型形状に構成されており、その内周面１ａの下端部には、複数の前記受止支持片部２が環状に配置形成されているとともに、外周面１ｂの下端部には、複数の前記補助付着片部３が略環状に配置形成され、更に、外周面１ｂの上端部には、環状枠体１の上端面の開口部１ｃを一時的に閉塞するコンクリート型枠用合板製などの蓋体６（例えば、図７、図８を参照）を取り付けるための蓋体取付片部５が環状に配置形成されている。
【００２４】
具体的には、前記環状枠体１は、複数の枠体形成片としての一対の側面視略長方形状の長辺板部材１Ａと一対の側面視略正方形状の短片板部材１Ｂとをボルトやナット等の締結手段７により連結して構成されていて、それら長辺板部材１Ａと短片板部材１Ｂの各々の下端部に、前記受止支持片部２が、枠体連結時において環状枠体１の内周面１ａの下端部に環状に配置される形態に内向き略水平姿勢で突出形成されているとともに、前記補助付着片部３が、枠体連結時において環状枠体１の外周面１ｂの下端部に環状に配置される形態に外向き略水平姿勢に突出されている。
【００２５】
また、長辺板部材１Ａと短片板部材１Ｂの各々の上端部には、前記蓋体取付片部５が、枠体連結時において環状枠体１の外周面１ｂの上端部に環状に配置される形態に外向き略水平姿勢で突出形成されている。
【００２６】
つまり、前記受止支持片部２は、その上面部で後述する耐火充填材４を受け止め支持可能に構成され、前記補助付着片部３は、その上面部で床板Ｓの下面Ｓ１における長尺体貫通用孔Ａの孔口周縁部に付着可能に構成され、前記蓋体取付片部５は、その上面部で蓋体６を取付可能に構成されている。
【００２７】
すなわち、この長尺体貫通用孔防火措置具Ｔは、環状枠体１と長尺体貫通用孔Ａの孔内周面との間でのコンクリート付着力に加えて、補助付着片部３の上面と床板Ｓの下面Ｓ１との間でコンクリート付着力を発生させて、長尺体貫通用孔１との間でのコンクリ−ト付着力を高く確保する。
【００２８】
また、長片板部材１Ａに形成された補助付着片部５には、前記コンクリート付着力を発生させるコンクリート（本例では、床板Ｓを成形するコンクリート）をそれの打設時において受け止めるコンクリート受止板８に対して釘、ビス、ネジ等の仮固定具９により仮固定するための仮固定部としての挿通孔が多数形成されており、具体的には、コンクリート受止板８の一例であるコンクリート型枠用合板に仮固定するための小径の一対の第１挿通孔１０ａと、コンクリート受止板８の一例であるデッキプレートに仮固定するための第１挿通孔１０ａよりも大径の一対の第２挿通孔１０ｂとが形成されている。
【００２９】
そのため、コンクリート受止板８への仮固定作業を環状枠体１の外側から極力広い作業空間を用いて行うことができ、作業内容の簡略化と作業時間の短縮化を図ることができる。
【００３０】
さらに説明を加えると、受止支持片部２は、図３に示すように、環状枠体１（詳しくは、長辺板部材１Ａ及び短辺板部材１Ｂ）の下端部を内側に折り曲げることにより形成されているとともに、補助付着片部３は、受止支持片部２の先端側を折り返す形態に外側に折り曲げることにより形成されている。
【００３１】
つまり、受止支持片部２と補助付着片部３が環状枠体１に一体的に構成されているから、受止支持片部２と補助付着片部３が環状枠１から不測に離脱してしまうなどの不具合を確実に防止することができるとともに、受止支持片部２を２層構造にする形態で受止支持片部２の体積を増加させることができるから、その体積の増加分、受止支持片部２の強度を効果的に高めることができて、受止支持片部２の変形を効果的に抑止することができる。
【００３２】
１１は、長辺板部材１Ａと短片板部材１Ｂとを連結する外向き突出形状の縦姿勢の連結部であり、この連結部１１は、前記長辺板部材１Ａの横方向両端縁部１ｅと、前記短片板部材１Ｂの左右方向両端縁部に形成された長辺板部材１Ａの横方向両端縁部１ｅに接合するための外向き突出形状の縦姿勢の接合片部１ｆとから構成されている。
【００３３】
そして、短片板部材１Ｂの接合片部１ｆと長辺板部材１Ａの横方向両端縁部１ｅの各々には、前記締結手段７が挿通可能な挿通孔１１ａが枠体連結時において相対向する配置で形成されており、短片板部材１Ｂの接合片部１ｆと長辺板部材１Ａの横方向両端縁部１ｅの各々を相対向させた状態で締結手段７により短片板部材１Ｂと長片板部材１Ａとを挿通孔１１ａを通じて締結可能に構成されている。
【００３４】
そのため、施工現場において短片板部材１Ｂと長片板部材１Ａとを連結する使用形態を採ることにより、運搬時の占有体積を小さくして製作現場からの運搬効率を効果的に向上させることができるとともに、外方に突出する連結部１１の表面積の分だけコンクリート製の床板との付着面積を広く確保することがでて、長尺体貫通用孔Ａとの間でのコンクリート付着力を一層効果的に高めることができる。
【００３５】
なお、２ａは、耐火充填材４の種別や長尺体貫通用孔の大きさ等により受止支持片部３よりも内方位置で耐火充填材を受け止める必要がある場合に、適宜に別部材（専用の受止支持部材や木片など）をネジやビスなどの締結具１４により取り付けるためのネジ受け孔であり、このネジ受け孔２ａは、環状枠体１の長手側の受止支持片部３（すなわち、長辺板部材１Ａの受止支持片部３）の中央部の各々に形成されている。
【００３６】
次に、長尺体貫通用孔防火措置具Ｔ（以下、単に、防火措置具Ｔと略称する）の使用方法の一例について説明する。
【００３７】
（イ）長尺体貫通用孔Ａへの取り付け
図５に示すように、前記コンクリート受止板８（詳しくは、コンクリート型枠用合板）を、床板Ｓを形成すべき所定位置に配置したのち、防火措置具Ｔをコンクリート受止板８の所定位置（すなわち、床板Ｓに長尺体貫通用孔Ａを形成する位置）に載置し、環状枠体１に形成された補助付着片部３の挿通孔１０（詳しくは、第１挿通孔１０ａ）を通して仮固定具９によりコンクリート受止板８に対して仮固定する。
【００３８】
そして、コンクリート受止板８の上方からコンクリートを防火措置具Ｔの内部に入り込まないように打設し、コンクリートが硬化したのち（詳しくは、所定期間が経過してコンクリートが所定強度に達したのち）、コンクリート受止板８を撤去し、長尺体貫通用孔Ａを成形するのと同時に長尺体貫通用孔Ａへの防火措置具Ｔの取り付けを完了する。
【００３９】
つまり、防火措置具Ｔは、コンクリートの硬化に伴い、長尺体貫通用孔Ａの孔内周面と環状枠体１の外周面１ｂとの間、及び、床板Ｓの下面Ｓ１における長尺体貫通用孔Ａの孔口周縁部と環状枠体１の下端部に形成の補助付着片部３の上面との間で夫々発生するコンクリート付着力により長尺体貫通用孔Ａに対し取り付けられる。
【００４０】
なお、コンクリートを打設するのに先立ち、コンクリート型枠用合板等で形成された蓋体６（図７、図８を参照）を環状枠体１の上端部の蓋体取付片部５に対し取り付けて、環状枠体４の上端面の開口部１ｃを閉塞しておくのが好ましい。このようにしておけば、コンクリート打設時において環状枠体１の内部にコンクリートが入り込んでしまうのを確実に防止することができるとともに、コンクリート受止板８の撤去後において、作業者が環状枠体１の内部に脚を捕られてしまったり、或いは、作業者が環状枠体１の内部を通じて落下してしまうなどの不具合を防止することができる。
【００４１】
（ロ）防火措置具Ｔへの長尺体Ｐの挿通（図６を参照）
長尺体貫通用孔Ａへの防火措置具Ｔの取り付けが完了したあと、まず、長尺体貫通用孔Ａに取り付けられた環状枠体１の受止支持片部２に対し、環状枠体１の下端面の開口部１ｄを被覆する状態で受止支持補助部材としての合成樹脂製（例えば、ＰＰ製など）の補助ネット１２を貼設する。
【００４２】
この補助ネット１２は、前記環状枠体１の下端面の開口部１ｄの開口形状及び開口面積に対応した大きさに形成されているとともに、ネット中央部に長手方向に沿って一連の切り込み１２ａが予め形成されており、長尺体Ｐの挿通を許容するように構成されている。
【００４３】
次に、防火措置具Ｔの環状枠体１、及び、貼設された補助ネット１２に対して上方又は下方から長尺体Ｐを挿通させる。このとき、環状枠体１の下端部に形成の受止支持片部２の先端部は曲面形状に構成されているから、受止支持片部２の先端部と長尺体Ｐの外周面との接触抵抗を小さくすることができて、長尺体Ｐを環状枠体１に挿通する挿通操作を極力スムーズに行うことができるとともに、受止支持片部２の先端部と長尺体Ｐの外周面との接触によって長尺体Ｐに破損が生じることも効果的に抑止することができる。
【００４４】
（ハ）環状空間ｓへの耐火充填材Ｔの充填（図６を参照）
防火措置具Ｔへの長尺体Ｐの挿通が完了したあと、環状枠体１の内周面１ａと、これに挿通された長尺体Ｐの外周面との間の環状空間ｓに対し、大きさの異なる複数サイズ（本例では、３サイズ）の多数の耐火充填材４を充填して環状空間ｓを閉塞し、長尺体貫通用孔Ａの防火措置を完了する（図７、図８の状態）。
【００４５】
前記耐火充填材４は、本例では、図６に示すように、耐火材を主体とする耐火ブロックを袋体に袋詰して構成された袋入耐火ブロック４Ａと、熱膨張性耐火材を主体とする熱膨張性シートを可撓性の袋体に袋詰して構成された袋入熱膨張性耐火シート４Ｂとを一体化して構成されており、詳しくは、袋入熱膨張性耐火シート４Ｂを袋入耐火ブロック４Ａに対し袋入耐火ブロック４Ａの両端面が露出する状態で巻装するとともに、袋入熱膨張性耐火シート４Ｂの巻装方向と交差する方向に不織布などで製作された帯状バンド４Ｃを巻着して構成されている。
【００４６】
前記耐火ブロックとしては、ロックウールやグラスウールの短繊維どうしを絡ませた綿塊状のものを採用しており、また、前記熱膨張性耐火シートとしては、断熱性を備えるロックウール（耐火性材料の一例）の短繊維を主体に、膨張黒鉛などの熱膨張性材料をパルプ材などの有機性繊維に含浸させたフェルト状のものを採用している。
【００４７】
なお、耐火充填材４の充填順序としては、まず、環状空間ｓの長手方向両端部から充填するのが好ましい。このような順序で充填すれば、長手方向両端部への耐火充填材４の充填により、補助ネット１２を引張状態にすることができ、これに続く耐火充填材４の充填作業を行い易くすることができる。
【００４８】
〔その他の実施形態〕
（１）前述の第１実施形態の改良として、図９、図１０に示すように、環状枠体１の長手側の受止支持片部２の中央部の各々に形成されたネジ受け孔２ａに、受止支持片部２よりも内方で耐火充填材４を受止支持可能な板金製の補助受止支持部材１３を設けてもよい。
【００４９】
前記補助受止支持部材１３は、図１０（イ）、（ロ）に示すように、前記受止支持片部２のネジ受け孔２ａを通じてネジ止め可能な取り付け孔１３ａを有し、受止支持片部２に取り付けた状態で長尺体Ｐの挿通方向と直交する姿勢で受止支持片部２の内方に突出配置される形態に構成された第１受け片部１３Ａの先端側に、長尺体の挿通方向と直交する姿勢で第１受け部受止支持片部の内方に突出配置可能な第２受け片部１３Ｂが、長孔の切欠からなる脆弱部１３ｃを介して長尺体から遠ざける側に折り曲げ可能な状態で一体成形されている。
【００５０】
また、第１受け片部１３Ａの中央部には、前記補助ネット１２の網目に係止可能なネット係止部１３ｂが長尺体Ｐの挿通方向に沿う起立姿勢に折り曲げ形成されている。
【００５１】
つまり、この実施形態では、補助受止支持部材１３のネット係止部１３ｂにより、補助ネット１２の貼付作業の簡略化と作業時間の短縮化を図ることができる。また、補助受止支持部材１３の第１、第２受け片部１３Ａ、１Ｂにも耐火充填材４を受け止め支持させることができるから、特に、長尺体貫通用孔の長手方向長さが大きくなる場合の使用に有効である。
【００５２】
なお、第２受け片部１３Ｂが、長尺体Ｐの挿通操作の邪魔になる場合には、第２受け片部１３Ｂを長尺体Ｐから遠ざける側に折り曲げればよい。
【００５３】
（２）前述の実施形態では、環状枠体１が板金製である場合を例に示したが、例えば、プラスチックなどの合成樹脂製や木製などであってもよい。
【００５４】
（３）環状枠体１の大きさや形状などの具体的構成は、前述の実施形態で示した如き構成に限られるものではなく、種々の構成変更が可能であり、例えば、形状としては、正面視正方形、正面視円形、称面視多角形などの箱型形状であってもよい。
【００５５】
（４）前述の実施形態では、環状枠体１に受止支持片部２が複数形成されている場合を例に示したが、環状枠体１に受止支持片部２が１つだけ形成されていてもよい。
【００５６】
（５）前述の実施形態では、環状枠体１に補助付着片部が複数形成されている場合を例に示したが、環状枠体１に補助付着片部３が１つだけ形成されていてもよい。
【００５７】
（６）前述の実施形態では、受止支持片部２、補助付着片部３、蓋体取付片部５が環状枠体１に一体成形されている場合を例に示したが、それらの全部又は一部を環状枠体１とは別部材として成形し、環状枠体１に取り付けるようにしてもよい。
【００５８】
（７）前述の実施形態では、床板Ｓがコンクリート製である場合において、床板Ｓを成形するコンクリートのコンクリート付着力により環状枠体１を長尺体貫通用孔Ａに取り付ける場合を例に示したが、例えば、床板Ｓを発泡コンクリートや不燃ボードなどの材料で構成するとともに、床板Ｓと環状枠体１との間にモルタルを充填することで、その充填モルタルのコンクリート付着力により環状枠体１を長尺体貫通用孔Ａに取り付ける構成にしてもよい。
【００５９】
（８）補助ネット１２の具体的構成は、前述の実施形態に示した如き構成のものに限らず、種々の構成変更が可能である。
【００６０】
（９）前述の実施形態では、受止支持片部２の上面に補助ネット１２を貼設する場合を例に示したが、必ずしも補助ネット１２を貼設する必要はない。また、補助ネット１２に代えて、長尺体Ｐを挿通可能な開口部を中央に備える板材を設けてもよい。
【００６１】
（１０）前述の実施形態では、受止支持片部２の上面に補助ネット１２を一枚だけ貼付する場合を例に示したが、二枚以上貼付してもよい。
【００６２】
前述の如く、補助ネット１２を二枚以上貼付する場合において、例えば、補助ネット１２のネット中央部に長手方向に沿う一連の切り込み１２ａを形成するのに代え、ネット中央からネット一端面に亘るネット一端部に一連の切り込みを形成するとともに、その補助ネット１２の二枚を、夫々のネット一端部側から夫々の切り込みに長尺体Ｐを差し込むことにより、それら二枚の補助ネット１２により長尺体Ｐを挟み込む形態でネット一端部どうしを重合させた重合姿勢で受止支持片部２の上面に貼付する構成にしてもよい。
【００６３】
（１１）耐火充填材４は、前述の実施形態に示した如き構成のものに限らず、種々のものを採用できる。
【００６４】
なお、耐火充填材４として、例えば、パテ等の流動材を採用する場合には、受止支持片部２に補助ネット１２を貼設するのに代えて、パテ等の流動材を受け止め支持可能な板材を設けるのが好適である。
【図面の簡単な説明】
【００６５】
【図１】本発明に係る長尺体貫通用孔防火措置具を示す斜視図
【図２】本発明に係る長尺体貫通用孔防火措置具を示す平面図
【図３】本発明に係る長尺体貫通用孔防火措置具を示す側面断面図
【図４】本発明に係る長尺体貫通用孔防火措置具の分解斜視図
【図５】本発明に係る長尺体貫通用孔防火措置具の使用方法を示す説明図
【図６】本発明に係る長尺体貫通用孔防火措置具の使用方法を示す説明図
【図７】本発明に係る長尺体貫通用孔防火措置具の使用方法を示す説明図
【図８】本発明に係る長尺体貫通用孔防火措置具の使用方法を示す説明図
【図９】本発明に係る長尺体貫通用孔防火措置具のその他の実施形態を示す平面図
【図１０】本発明に係る長尺体貫通用孔防火措置具のその他の実施形態を示す要部斜視図
【符号の説明】
【００６６】
Ｓ              床板
Ｓ１            床板の下面
Ａ              長尺体貫通用孔
Ｐ              長尺体
Ｔ              長尺体貫通用孔防火措置具
１              環状枠体
１ａ            環状枠体の内周面
１Ａ、１Ｂ      枠体形成片（長辺板部材、短辺板部材）
２              受止支持片部
３              補助付着片部
４              耐火充填材
１０ａ、１０ｂ  仮固定部（挿通孔）
１１            連結部
ｓ              環状空間
【図１】
2008136581.tif 000003
【図２】
2008136581.tif 000004
【図３】
2008136581.tif 000005
【図４】
2008136581.tif 000006
【図５】
2008136581.tif 000007
【図６】
2008136581.tif 000008
【図７】
2008136581.tif 000009
【図８】
2008136581.tif 000010
【図９】
2008136581.tif 000011
【図１０】
2008136581.tif 000012